(57)【要約】【課題】壁部５に設置される灯具１を壁部５に布設される電力ケーブル（３）にコネクタ４を介して接続した構造において、万一、灯具１が壁部５から外れても地面への落下を回避可能とする。【解決手段】コネクタ４は、雄端子２１を有する第１部材２０と、雄端子２１に合致嵌合して電気的に接続される雌端子３１を有する第２部材３０とを対としかつ第１、第２部材２０，３０に互いを結合するための締結部３５ａ，２２ｄが振り分けて設けられる構成である。第１部材２０が灯具１に、また第２部材３０が電力ケーブル（３）にそれぞれ取り付けられている。両部材２０，３０および締結部３５ａ，２２ｄは、灯具１の重量を支えるだけの耐荷重能力を備える材料で形成されている。電力ケーブル（３）の外皮３ａ内には、灯具１の重量を支えるだけの耐荷重能力を備える補強体６が設けられている。補強体６は第２部材３０に結合されている。【選択図】図１
2015069766.tif 000002
【特許請求の範囲】
【請求項１】
壁部に設置される灯具を前記壁部に布設される電力ケーブルにコネクタを介して接続した構造であって、
前記コネクタは、雄端子を有する第１部材と、前記雄端子に電気的に接続される雌端子を有する第２部材とを対としかつ前記第１、第２部材に互いを結合するための締結部が振り分けて設けられる構成であり、
前記第１、第２部材のうち、いずれか一方が前記灯具に取り付けられており、また、残り他方が前記電力ケーブルに取り付けられており、
前記両部材および前記締結部は、前記灯具の重量を支えるだけの耐荷重能力を備える材料で形成されており、
前記電力ケーブルの外皮内には、前記灯具の重量を支えるだけの耐荷重能力を備える補強体が設けられており、
この補強体は、前記電力ケーブルの取り付け対象となる部材に結合されている、ことを特徴とする灯具設置構造。
【請求項２】
請求項１に記載の灯具設置構造において、
前記補強体は、線材をメッシュ状に編み込んだチューブとされ、前記電力ケーブルの外皮と内部配線との間に介装されている、ことを特徴とする灯具設置構造。
【請求項３】
請求項２に記載の灯具設置構造において、
前記補強体は、前記電力ケーブルの外皮から外側へ突出されかつ前記外皮の外径側に覆い被せられるように捲り返されていて、
この捲り返し部分は、前記電力ケーブルの取り付け対象となる部材のボディ内に差し入れられるとともに、当該ボディと当該ボディに外嵌装着される防水キャップとが径方向内向きに加締められることにより、前記電力ケーブルの内部配線および外皮と前記ボディおよび防水キャップとで挟まれている、ことを特徴とする灯具設置構造。
【請求項４】
請求項３に記載の灯具設置構造において、
前記補強体の前記捲り返し部分の内側には、インナーリングが装着されて、前記捲り返し部分の外径側には、アウターリングが外嵌装着されることにより前記インナーリングと前記アウターリングとで前記捲り返し部分を重ね合わせて挟む形態とされ、さらに、前記アウターリングの外径側に前記ボディが外嵌される形態とされる、ことを特徴とする灯具設置構造。
【発明の詳細な説明】
【技術分野】
【０００１】
本発明は、壁部に設置される灯具を壁部に布設される電力ケーブルにコネクタを介して接続した構造に関する。
【背景技術】
【０００２】
例えばトンネル内などにおいて、壁部には灯具が道路の長手方向所定間隔おきに設置されている。この多数の灯具には、壁部に道路の長手方向に沿って布設される電力ケーブルの幹線から分岐される分岐線が接続されることによって電力が供給されるようになっている。
【０００３】
前記灯具と前記分岐線とはコネクタを介して接続されている。このコネクタは、雄端子を有するプラグと、雌端子を有するレセプタクルとを対とする構成であって、プラグまたはレセプタクルのいずれか一方が前記灯具の配線に、また、残り他方が前記分岐線にそれぞれ接続される（特許文献１参照）。
【先行技術文献】
【特許文献】
【０００４】
【特許文献１】特開２００３−３４６９７０号公報
【発明の概要】
【発明が解決しようとする課題】
【０００５】
上記特許文献１に係る従来例では、仮に前記灯具が前記壁部から外れたときに、前記灯具の重量が前記コネクタに作用する。このとき、前記灯具が重い場合には、前記コネクタを構成する前記プラグと前記レセプタクルとの接続が外れて、前記灯具が道路上に落下するおそれがある。
【０００６】
このような事情に鑑み、本発明は、壁部に設置される灯具を壁部に布設される電力ケーブルにコネクタを介して接続した構造において、万一、前記灯具が前記壁部から外れても地面への落下を回避可能とすることを目的としている。
【課題を解決するための手段】
【０００７】
本発明は、壁部に設置される灯具を前記壁部に布設される電力ケーブルにコネクタを介して接続した構造であって、前記コネクタは、雄端子を有する第１部材と、前記雄端子に電気的に接続される雌端子を有する第２部材とを対としかつ前記第１、第２部材に互いを結合するための締結部が振り分けて設けられる構成であり、前記第１、第２部材のうち、いずれか一方が前記灯具に取り付けられており、また、残り他方が前記電力ケーブルに取り付けられており、前記両部材および前記締結部は、前記灯具の重量を支えるだけの耐荷重能力を備える材料で形成されており、前記電力ケーブルの外皮内には、前記灯具の重量を支えるだけの耐荷重能力を備える補強体が設けられており、この補強体は、前記電力ケーブルの取り付け対象となる部材に結合されている、ことを特徴としている。
【０００８】
この構成では、前記補強体が前記電力ケーブルの補強材となるので、当該電力ケーブルそのものの機械的強度が高められる。また、前記構成では、前記コネクタを構成する第１部材と第２部材とを所定の耐荷重能力を備える材料（金属など）としているから、それらの結合強度が可及的に高められる。さらに、前記構成では、前記電力ケーブルの補強体を前記電力ケーブルの取り付け対象となる部材に結合しているから、前記電力ケーブルとその取り付け対象部材との結合強度が可及的に高められる。
【０００９】
これにより、前記第１部材と前記第２部材とを接続している状態において、万一、前記灯具が前記壁部から外れることに伴い当該灯具の重量が前記コネクタおよび前記分岐線に作用したとしても、前記コネクタを構成する第１部材と第２部材とが分離せずに済むようになって、灯具が電力ケーブルに吊り下げられた状態で支えられるようになる。
【００１０】
このようなことから、万一、前記灯具が前記壁部から外れたとしても、当該灯具が地面に落下せずに済むようになるとともに、前記灯具を点灯している場合には点灯したままの状態を保つことが可能になる。
【００１１】
好ましくは、前記補強体は、線材をメッシュ状に編み込んだチューブとされ、前記電力ケーブルの外皮と内部配線との間に介装されたものとすることができる。
【００１２】
この構成では、前記電力ケーブルの補強材となる前記補強体を薄いメッシュ状チューブとしているので、電力ケーブルにおいて前記補強体の設置スペースを無駄に大きくせずに済むようになる。これにより、既存の電力ケーブルの設計を大きく変更せずに済むようになるなど、設備コストの上昇を抑制するうえで有利になる。
【００１３】
好ましくは、前記補強体は、前記電力ケーブルの外皮から外側へ突出されかつ前記外皮の外径側に覆い被せられるように捲り返されていて、この捲り返し部分は、前記電力ケーブルの取り付け対象となる部材のボディ内に差し入れられるとともに、当該ボディと当該ボディに外嵌装着される防水キャップとが径方向内向きに加締められることにより、前記電力ケーブルの内部配線および外皮と前記ボディおよび防水キャップとで挟まれた構成とすることができる。
【００１４】
この構成では、前記電力ケーブル内に設けている補強体と前記電力ケーブルの取り付け対象となる部材とを強固に結合する形態を特定している。
【００１５】
好ましくは、前記補強体の前記捲り返し部分の内側には、インナーリングが装着されて、前記捲り返し部分の外径側には、アウターリングが外嵌装着されることにより前記インナーリングと前記アウターリングとで前記捲り返し部分を重ね合わせて挟む形態とされ、さらに、前記アウターリングの外径側に前記ボディが外嵌される形態とされる。
【００１６】
この構成では、前記電力ケーブル内に設けている補強体と前記電力ケーブルの取り付け対象となる部材とを強固に結合する形態をさらに特定している。
【発明の効果】
【００１７】
本発明は、壁部に設置される灯具を壁部に布設される電力ケーブルにコネクタを介して接続した構造において、万一、前記灯具が前記壁部から外れても地面への落下を回避することが可能になる。
【図面の簡単な説明】
【００１８】
【図１】本発明に係る灯具設置構造の一実施形態で、その全体の外観を示す正面図である。
【図２】図１の第１部材と第２部材とを分離した状態を示す図である。
【図３】図２の第１部材および第２部材の断面を示す図である。
【図４】図２および図３の電力ケーブルの分岐線を示す部分正面図である。
【図５】図４の（５）−（５）線断面の矢視図である。
【図６】図４に示す分岐線と第２部材とを結合する手順を説明するための断面図で、初期段階を示している。
【図７】図６の続きを示す断面図である。
【図８】図７のさらに続きを示す断面図である。
【図９】図１の灯具の設置形態を模式的に示す図である。
【図１０】図９の（１０）−（１０）線断面の矢視図である。
【発明を実施するための形態】
【００１９】
以下、本発明を実施するための最良の実施形態について添付図面を参照して詳細に説明する。
【００２０】
図１から図１０に、本発明の一実施形態を示している。図中、１は灯具、２は電力ケーブルの幹線、３は電力ケーブルの分岐線、４はコネクタである。
【００２１】
灯具１は、適宜の壁部５に設置される。この灯具１には、壁部５に布設される電力ケーブルの幹線２が分岐線３およびコネクタ４を介して接続されている。
【００２２】
コネクタ４は、第１部材２０と、第２部材３０とを対とする構成である。第１部材２０は雄端子２１を有し、また、第２部材３０は雌端子３１を有し、第１部材２０の雄端子２１と第２部材３０の雌端子３１とが合致嵌合されることによって電気的に接続されるようになっている。
【００２３】
次に、図２および図３を参照して、第１、第２部材２０，３０の構成を詳細に説明する。
【００２４】
第１部材２０は、「レセプタクル」と呼ばれるものであって、灯具１のケース１ａの１辺の内外に貫通する状態で取り付けられる。この第１部材２０は、ボディ２２、中子２３、締め付けリング２４を備えている。
【００２５】
ボディ２２は、円筒部材からなり、灯具１のケース１ａの外側に突出する外側領域２２ａと、灯具１のケース１ａの内側に突出する内側領域２２ｂと、外側領域２２ａと内側領域２２ｂとの間に設けられる径方向外向きの２段鍔部２２ｃとを有している。
【００２６】
ボディ２２の外側領域２２ａの外径側には、第１部材２０と第２部材３０との結合部分を密封するために、Ｏリングなどのシールリング２５が取り付けられている。
【００２７】
中子２３は、複数の雄端子２１が取り付けられるものであって、ボディ２２の内側領域２２ｂ内に収納固定されている。この中子２３は、円柱形に形成されており、それに複数の雄端子２１が個別に収納される貫通孔（符号省略）が設けられている。当該各貫通孔内で複数の雄端子２１に灯具１の複数の配線１ｂがそれぞれ対応して電気的に接続されている。
【００２８】
締め付けリング２４は、第１部材２０を灯具１のケース１ａに固定するために用いられるものである。この締め付けリング２４は、ボディ２２の内側領域２２ｂの外周に螺合されることで、この締め付けリング２４とボディ２２の２段鍔部２２ｃの大径部分とでケース１ａの１辺を挟むことにより第１部材２０を灯具１のケース１ａに固定するようになっている。
【００２９】
第２部材３０は、例えば「プラグ」と呼ばれるものであって、電力ケーブルの分岐線３の先端に取り付けられる。この第２部材３０は、ボディ３２、ハウジング３３、防水キャップ３４、ロックキャップ３５を備えている。
【００３０】
ボディ３２内に固定されるハウジング３３に複数の雌端子３１が取り付けられており、この複数の雌端子３１に分岐線３の複数の内部配線３ｂがそれぞれ対応して電気的に接続されている。
【００３１】
ボディ３２は、外径が一方向に大、中、小と段階的に縮径された円筒部材からなる。このボディ３２の大径部３２ａの内孔には、ハウジング３３が嵌合固定されるようになっている。ボディ３２の小径部３２ｂの内孔には、分岐線３の先端が挿入された状態で下記する形態で固定されるようになっている。
【００３２】
ハウジング３３は、複数の雌端子３１が個別に取り付けられる貫通孔（符号省略）が設けられている。このハウジング３３の各貫通孔内で複数の雌端子３１に分岐線３の複数の内部配線３ｂがそれぞれ対応して電気的に接続される。そして、ハウジング３３の外形は、第１部材２０のボディ２２の外側領域２２ａ内に合致して嵌め入れられるような形状とされている。
【００３３】
防水キャップ３４は、ボディ３２の小径部３２ｂの外径側に嵌合装着されることによってハウジング３３の雌端子３１と分岐線３の内部配線３ｂとの接続部分を外部から覆い隠すものである。
【００３４】
ロックキャップ３５は、第２部材３０を第１部材２０に連結するために用いられるものである。このロックキャップ３５は、ボディ３２の大径部３２ａの外径側に軸方向ならびに円周方向に相対変位可能に取り付けられていて、第１部材２０のボディ２２の２段鍔部２２ｃの小径部外周に係合されることにより第２部材３０を第１部材２０に連結する。
【００３５】
この係合の方法としては、ロックキャップ３５の内周面の円周数ヶ所（例えば２ヶ所）に設けられる突起３５ａを、２段鍔部２２ｃの小径部外周面の円周数ヶ所（例えば２ヶ所）に設けられるロック溝２２ｄに係入させる形態とされる。
【００３６】
つまり、ロックキャップ３５の突起３５ａをロック溝２２ｄの入口に位置合わせしておいて、ロックキャップ３５を２段鍔部２２ｃの小径部外周に軸方向から嵌め入れてから、ロックキャップ３５を所定方向に所定角度回転させるように操作することで、第１部材２０と第２部材３０とが連結された状態で非分離にロックされる。
【００３７】
そして、第１部材２０と第２部材３０とを分離するときには、ロックキャップ３５をロック時と逆向きに回転させてから、軸方向に引き抜くように操作すればよい。
【００３８】
ところで、前記突起３５ａとロック溝２２ｄの入口との位置合わせは、ロックキャップ３５と第１部材２０のボディ２２の２段鍔部２２ｃの大径部分とに設けられる位置合わせマーク３５ｂ，２２ｅにより目視にて簡単に行えるようになっている。
【００３９】
このようなことから明らかなように、ロックキャップ３５の突起３５ａと第１部材２０のボディ２２のロック溝２２ｄとが、特許請求の範囲に記載している「締結部」に相当している。
【００４０】
この実施形態では、万一、灯具１が壁部５から外れたときに、当該灯具１を分岐線３に吊り下げる状態で支えるようにすることにより、当該灯具１が地面に落下することを回避するように工夫している。
【００４１】
つまり、電力ケーブルの分岐線３そのものの機械的強度を可及的に高めるようにしたうえで、灯具１に固定される第１部材２０と分岐線３が取り付けられる第２部材３０との結合強度、ならびに分岐線３と第２部材３０との結合強度をそれぞれ可及的に高めるようにしている。
【００４２】
まず、分岐線３そのものの機械的強度を可及的に高めるために、電力ケーブルの分岐線３の内部に補強体６を設けるようにしている。この補強体６は、灯具１の重量を支えるだけの耐荷重能力を備えている。
【００４３】
具体的に、分岐線３は、例えば図４および図５に示すように、分岐線３の外皮３ａと複数の内部配線３ｂとの間に、灯具１の重量を支えるだけの耐荷重能力を備える補強体６が介装されていて、あたかも同軸ケーブルのような構成になっている。
【００４４】
この補強体６は、例えば金属（例えばステンレス鋼）あるいはカーボンなどの線材をメッシュ状に編み込んだチューブとされている。この補強体６は分岐線３の補強材となるので、当該分岐線３そのものの機械的強度が高められることになる。ちなみに、この補強体６の耐荷重能力としては、灯具１の重量などに応じて適宜設定すればよいのであるが、灯具１の重量を例えば４０ｋｇとする場合には、それが落下するときの衝撃荷重が約５００ｋｇになるので、補強体６の耐荷重能力については例えば破断強度で約５００ｋｇ以上に設定することが好ましい。
【００４５】
また、第１部材２０と第２部材３０との結合強度を可及的に高めるために、第１部材２０のボディ２２と第２部材３０のボディ３２およびロックキャップ３５とを所定以上の強度を有する金属（例えばアルミニウム合金、マグネシウム合金など）あるいは所定以上の強度を有する合成樹脂（例えばポリアミド６６などのふっ素系樹脂、あるいは適宜のエンジニアリングプラスチック）で形成することが可能である。
【００４６】
さらに、分岐線３と第２部材３０との結合強度を可及的に高めるために、電力ケーブルの分岐線３内に設けている補強体６と第２部材３０のボディ３２との結合を下記するような形態にしている。
【００４７】
この補強体６と第２部材３０のボディ３２との結合形態について、図６から図８を参照して詳細に説明する。
【００４８】
図４に示すように、分岐線３の先端縁の外皮３ａを除去することにより補強体６および内部配線３ｂを露呈させておいて、図６に示すように、この露呈させた補強体６の外径側にインナーリング７を外嵌装着する。このとき、インナーリング７は分岐線３の残存している外皮３ａの内径側に所定長さだけ差し込むようにしている。インナーリング７は、「インナーフェルール」と呼ばれるものであって、例えば鋼材、アルミニウム合金、マグネシウム合金などの金属材で形成される。
【００４９】
その後、図７に示すように、補強体６を外径側に捲り返すことにより分岐線３の外皮３ａおよびインナーリング７の外側に覆い被せるようにしてから、この補強体６の捲り返し部分の外側部分にアウターリング８を外嵌装着する。このように、インナーリング７とアウターリング８とで補強体６の捲り返し部分を重ね合わせて挟むようにしている。アウターリング８は、「アウターフェルール」と呼ばれるものであって、例えば鋼材、アルミニウム合金、マグネシウム合金などの金属材で形成される。
【００５０】
続いて、図８に示すように、前記した分岐線３の先端部分を第２部材３０のボディ３２の小径部３２ｂの開口内に差し入れる。その後、ボディ３２の小径部３２ｂに防水キャップ３４を外嵌装着する。ことにより、防水キャップ３４の内周に形成している波形突起（符号省略）がボディ３２の小径部３２ｂの外周に形成している
このようにすることにより、補強体６がインナーリング７とアウターリング８とボディ３２および防水キャップ３４とによって強固に挟まれることになるので、補強体６と第２部材３０との結合部分が灯具１の重量を支えるだけの耐荷重能力を備えるものとされて、分岐線３と第２部材３０との結合強度が高められることになる。
【００５１】
以上説明したように本発明を適用した実施形態では、分岐線３そのものの機械的強度を可及的に高めるようにしたうえで、第１部材２０と第２部材３０との結合強度ならびに分岐線３と第２部材３０との結合強度をそれぞれ可及的に高めるようにしている。
【００５２】
これにより、万一、灯具１が壁部５から外れることに伴い当該灯具１の重量がコネクタ４および分岐線３に作用したとしても、コネクタ４を構成する第１部材２０と第２部材３０とが分離せずに済むようになって、灯具１が分岐線３に吊り下げられた状態で支えられるようになる。
【００５３】
このような結果、万一、灯具１が壁部５から外れたとしても、当該灯具１が地面に落下せずに済むようになるとともに、灯具１を点灯している場合には点灯したままの状態を保つことが可能になる。
【００５４】
ちなみに、上述した灯具１の設置場所については、例えば図９および図１０に示すように、上記壁部５を道路４１のトンネル４２内の内壁部とすることができる。その場合、万一、灯具１が壁部５から脱落したときでも、この灯具１が分岐線３に吊り下げられる状態になって、道路４１上に落下することを防止できるようになる。
【００５５】
なお、本発明は、上記実施形態のみに限定されるものではなく、特許請求の範囲内および当該範囲と均等の範囲内で適宜に変更することが可能である。
【００５６】
例えば上記実施形態で説明した第１、第２部材２０，３０の構成は、特に限定されるものではなく、図示しないがいろいろなタイプを利用することが可能である。
【産業上の利用可能性】
【００５７】
本発明は、壁部５に設置される灯具１を壁部５に布設される電力ケーブルにコネクタ４を介して接続した構造に好適に利用することが可能である。
【符号の説明】
【００５８】
１      灯具
１ａ    灯具のケース
１ｂ    灯具の配線
２      電力ケーブルの幹線
３      電力ケーブルの分岐線
３ａ    分岐線の外皮
３ｂ    分岐線の内部配線
４      コネクタ
５      壁部
６      補強体
７      インナーリング
８      アウターリング
２０      第１部材
２１      雄端子
２２      ボディ
３０      第２部材
３１      雌端子
３２      ボディ
【図１】
2015069766.tif 000003
【図２】
2015069766.tif 000004
【図３】
2015069766.tif 000005
【図４】
2015069766.tif 000006
【図５】
2015069766.tif 000007
【図６】
2015069766.tif 000008
【図７】
2015069766.tif 000009
【図８】
2015069766.tif 000010
【図９】
2015069766.tif 000011
【図１０】
2015069766.tif 000012